(57)【特許請求の範囲】
【請求項１】
外部のコンピュータからのアナログ仕様およびディジタル仕様のビデオ信号のそれぞれに対応可能なＤＶＩ−Ｉインターフェースを備えるＤＤＣ（Ｄｉｓｐｌａｙ  Ｄａｔａ  Ｃｈａｎｎｅｌ）機能を有するディスプレイモニタ用入力チャンネル切替制御装置であって、
前記外部のコンピュータから入力される前記ビデオ信号がアナログ仕様かディジタル仕様かの判別および、入力チャンネルの状態がアナログチャンネルかディジタルチャンネルかの判別を行う判別手段と、
アナログ仕様のＥＤＩＤ（Ｅｘｔｅｎｄｅｄ  Ｄｉｓｐｌａｙ  ＩＤｅｎｔｉｆｉｃａｔｉｏｎ）データおよびディジタル仕様のＥＤＩＤデータのそれぞれを記憶するＥＤＩＤデータ記憶手段と、
前記入力チャンネルの状態を前記判別手段により判別された前記ビデオ信号の仕様のチャンネルに切り替える入力チャンネル切替手段と、
前記外部のコンピュータからのＤＤＣ送信要求に基づいて、前記判別手段により判別された前記入力チャンネルの状態に対応した仕様のＥＤＩＤデータを前記ＥＤＩＤデータ記憶手段から読み出して前記外部のコンピュータに送信するＤＤＣ制御手段とを備え、
前記入力チャンネル切替手段は、前記ＤＤＣ制御手段が前記ＥＤＩＤデータを前記外部のコンピュータに送信した後で、前記入力チャンネルの状態を切り替える、
ことを特徴とするディスプレイモニタ用入力チャンネル切替制御装置。
【請求項２】
請求項１に記載のディスプレイモニタ用入力チャンネル切替制御装置であって、
前記入力チャンネル切替手段が、さらに、ユーザからの入力チャンネル切替要求に応じた前記入力チャンネルの状態の切り替えを行い、
前記ユーザからの入力チャンネル切替要求よって前記入力チャンネルの状態が切り替わった場合に、前記外部のコンピュータとの接続コネクタにおけるホットプラグラインを所定の時間だけ開放するホットプラグライン割り込み手段をさらに備える、
ことを特徴とするディスプレイモニタ用入力チャンネル切替制御装置。
【請求項３】
請求項２に記載のディスプレイモニタ用入力チャンネル切替制御装置であって、
前記判別手段が、さらに、前記ディスプレイモニタにおける垂直帰線期間を判別し、
前記入力チャンネル切替手段が、前記ユーザからのチャンネル切替要求に応じた前記入力チャンネルの状態の切り替えを、前記判別手段により判別された垂直帰線期間のタイミングで行う、
ことを特徴とするディスプレイモニタ用入力チャンネル切替制御装置。
【請求項４】
外部のコンピュータからのアナログ仕様およびディジタル仕様のビデオ信号のそれぞれに対応可能なＤＶＩ−Ｉインターフェースを備えるＤＤＣ機能を有するディスプレイモニタ用入力チャンネル切替制御装置であって、
前記外部のコンピュータから入力される前記ビデオ信号がアナログ仕様かディジタル仕様かの判別および、入力チャンネルの状態がアナログチャンネルかディジタルチャンネルかの判別を行う判別手段と、
アナログ仕様のＥＤＩＤデータおよびディジタル仕様のＥＤＩＤデータのそれぞれを記憶するＥＤＩＤデータ記憶手段と、
前記入力チャンネルの状態を前記判別手段により判別された前記ビデオ信号の仕様のチャンネルに切り替える入力チャンネル切替手段と、
前記外部のコンピュータからのＤＤＣ送信要求に基づいて、所定の仕様のＥＤＩＤデータを前記ＥＤＩＤデータ記憶手段から読み出して前記外部のコンピュータに送信するＤＤＣ制御手段と、
前記ＤＤＣ制御手段が前記ＥＤＩＤデータ記憶手段から読み出す前記所定の仕様のＥＤＩＤデータを、前記判別手段により判別された前記ビデオ信号の仕様のＥＤＩＤデータにするか、前記判別手段により判別された前記入力チャンネルの状態に対応した仕様のＥＤＩＤデータにするかを選択可能な選択手段とを備え、
前記選択手段によって前記入力チャンネルの状態に対応した仕様の前記ＥＤＩＤデータが選択された場合、前記入力チャンネル切替手段は、前記ＤＤＣ制御手段が前記ＥＤＩＤデータを前記外部のコンピュータに送信した後で、前記入力チャンネルの状態を切り替える、
ことを特徴とするディスプレイモニタ用入力チャンネル切替制御装置。
【請求項５】
外部のコンピュータからのアナログ仕様およびディジタル仕様のビデオ信号のそれぞれに対応可能なＤＶＩ−Ｉインターフェースを備えるＤＤＣ機能を有するディスプレイモニタの入力チャンネル切替制御方法であって、
（ａ）前記外部のコンピュータからのＤＤＣ送信要求を検出する工程と、
（ｂ）前記工程（ａ）において前記ＤＤＣ送信要求が検出された場合に、入力チャンネルの状態がアナログチャンネルかディジタルチャンネルかの判別を行う工程と、
（ｃ）前記工程（ｂ）において判別された前記入力チャンネルの状態に対応した仕様のＥＤＩＤデータを前記外部のコンピュータに送信する工程と、
（ｄ）前記工程（ｃ）の後に行われ、前記外部のコンピュータから入力される前記ビデオ信号がアナログ仕様かディジタル仕様かの判別を行う工程と、
（ｅ）前記工程（ｂ）において判別された前記入力チャンネルの状態に対応した仕様と前記工程（ｄ）において判別された前記ビデオ信号の仕様とが異なる場合に、前記入力チャンネルの状態を前記工程（ｄ）において判別された前記ビデオ信号の仕様のチャンネルに切り替え、前記工程（ａ）に戻る工程とを備える、
ことを特徴とするディスプレイモニタの入力チャンネル切替制御方法。
【発明の詳細な説明】
【０００１】
【発明の属する技術分野】
本発明は、ＤＤＣ（Ｄｉｓｐｌａｙ  Ｄａｔａ  Ｃｈａｎｎｅｌ）機能を有するディスプレイモニタに関するものであり、特に、アナログ仕様およびディジタル仕様のビデオ信号が入力可能なＤＶＩ−Ｉインターフェースを備えるディスプレイモニタ用のチャンネル切替制御装置に関するものである。
【０００２】
【従来の技術】
ＤＤＣ機能は、コンピュータシステム上で自動環境設定機能、いわゆるプラグアンドプレイ方式を実現するためのＤＤＣ規格において規定される機能である。ＤＤＣ規格によると、コンピュータとディスプレイモニタ間においてデータを交換する際の信号ラインとその手順が規定されている。つまり、ＤＤＣ規格を支援するディスプレイモニタをコンピュータに接続した場合、該コンピュータはディスプレイモニタとのＤＤＣ通信により、ディスプレイモニタからプラグアンドプレイに必要なディスプレイモニタに関する情報（以下ＥＤＩＤ（＝  Ｅｘｔｅｎｄｅｄ  Ｄｉｓｐｌａｙ  ＩＤｅｎｔｉｆｉｃａｔｉｏｎ）という）を取り出すことが可能である。
【０００３】
このＥＤＩＤデータは、ディスプレイモニタ内部の例えばＥＥＰＲＯＭ（Ｅｌｅｃｔｒｉｃａｌｌｙ  Ｅｒａｓａｂｌｅ  ａｎｄ  ＰｒｏｇｒａｍｍａｂｌｅＲｅａｄ  Ｏｎｌｙ  Ｍｅｍｏｒｙ）等の不揮発性メモリに記憶されており、製造者／製品ＩＤ、ディスプレイモニタの仕様、支援タイミング等の情報が含まれる。
【０００４】
また従来、ディスプレイモニタのインターフェースはＤ−Ｓｕｂコネクタ仕様に代表されるアナログインターフェースが使われてきた。しかし、液晶ディスプレイ（ＬＣＤ）などのフラットディスプレイの多くはディジタルインターフェースであり、例えばＤ−Ｓｕｂ仕様の出力を持つコンピュータにディジタルインターフェースを持つＬＣＤ等のディスプレイを接続する場合に、ビデオ信号のアナログ／ディジタル変換を伴うことによる表示品質の劣化や、装置のコストアップが懸念されており、ディジタルインターフェースの標準化への期待が増大している。
【０００５】
ＤＶＩ（Ｄｉｇｉｔａｌ  Ｖｉｓｕａｌ  Ｉｎｔｅｒｆａｃｅ）はＤＤＷＧ（Ｄｉｇｉｔａｌ  Ｄｉｓｐｌａｙ  Ｗｏｒｋｉｎｇ  Ｇｒｏｕｐ）が規格制定を行っているディジタルインターフェースであり、ディジタルデータ転送方式には、３チャンネルの画像データ伝送路（赤、緑、青）と１チャンネルのクロック伝送路の計４チャンネルの伝送路により構成され、各伝送路のシリアル信号はシングルエンド差動信号で送る方式であるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）を採用している。
【０００６】
図１１および図１２は、共にＤＶＩ仕様のコネクタを示す図である。ＤＶＩ仕様には図１１に示すディジタル仕様の信号にのみ対応したインターフェースと、図１２に示すディジタル仕様とアナログ仕様の信号の両方のインターフェースを備えるものの２種類が存在する。前者はＤＶＩ−Ｄ、後者はＤＶＩ−Ｉという。ＤＶＩ仕様によれば、ＤＤＣ通信に使用される信号ラインは２本であり、それぞれ、双方向のシリアルデータラインであるＳＤＡラインと、クロックとして使用されるＳＣＬラインである。また、ＤＶＩ仕様において、ＤＤＣ通信にはＤＤＣ２Ｂと呼ばれる通信プロトコルが使用される。
【０００７】
コンピュータが、ＤＶＩコネクタの７番ピン（ＳＤＡ）と６番ピン（ＳＣＬ）を介してディスプレイモニタにＥＤＩＤデータを転送することを要求すると、ディスプレイモニタは、７番ピン（ＳＤＡ）を介してＥＤＩＤデータのコンピュータへの転送を開始する。そしてコンピュータが、ＥＤＩＤデータが十分転送されたと判断すると、ＥＤＩＥデータ転送の停止をディスプレイモニタに要求し、それを受けてディスプレイモニタはＥＤＩＤデータの転送を停止する。
【０００８】
ところで、図１２に示したように、ＤＶＩ−Ｉインターフェースの場合、ビデオ信号の入力インターフェースはディジタルチャンネルとアナログチャンネルの２系統あるのに対し、ＤＤＣラインは１系統しか存在しない。このため、ＤＶＩ−Ｉ仕様のディスプレイモニタにおいては、コンピュータからのＥＤＩＤデータ転送要求に対して、アナログ仕様のＥＤＩＤデータを送るべきか、ディジタル仕様のＥＤＩＤデータを送るべきかの判断が困難となる。
【０００９】
その問題を解決する方法として、ディスプレイモニタをアナログ仕様、ディジタル仕様のどちらのディスプレイモニタとして使用するかを、ユーザがあらかじめ選択することが挙げられる。そこで、従来よりＤＶＩ−Ｉインターフェースを有するディスプレイモニタとして、該ディスプレイモニタをアナログ仕様、ディジタル仕様のどちらのディスプレイモニタとして使用するかをユーザが設定するスイッチャーを有するものが提案されている。
【００１０】
例えば、ディスプレイモニタをアナログ仕様として使用する場合、インターフェースの入力チャンネル、ＤＤＣ通信で送信するＥＤＩＤデータをアナログ仕様に設定しなければならない。逆に、ディスプレイモニタをディジタル仕様として使用する場合、インターフェースの入力チャンネル、ＤＤＣ通信で送信するＥＤＩＤデータをディジタル仕様に設定しなければならない。
【００１１】
さらに、ＯＳＤ（Ｏｎ  Ｓｃｒｅｅｎ  Ｄｉｓｐｌａｙ）による調整項目がアナログ仕様とディジタル仕様とで異なる場合（例えばアナログ仕様のディスプレイモニタのＯＳＤにはクロックフェーズ調整項目が必要であるがアナログ仕様のディスプレイモニタのＯＳＤには不要）は、それに応じてＯＳＤも切り替える必要がある。
【００１２】
図１３は従来のＤＶＩ−Ｉコネクタ仕様のディスプレイモニタのスイッチャーによるＥＤＩＤデータの切替を説明するための図である。この図に示すように、アナログ仕様のＥＤＩＤデータおよびディジタル仕様のＥＤＩＤデータのいずれかにアクセスできるようにＤＤＣラインにスイッチャーが設けられる。ユーザは、ディスプレイモニタをアナログ仕様、ディジタル仕様のいずれのディスプレイモニタとして使用するかをＯＳＤ等で設定する。例えば、ユーザがアナログチャンネルを選択した場合はスイッチャーはアナログ仕様のＥＤＩＤデータ側に、ディジタルチャンネルを選択した場合はスイッチャーはディジタル仕様のＥＤＩＤデータ側に切り替わるように動作する。
【００１３】
また、図示は省略したが、上述したように入力チャンネルやＯＳＤの切り替えもスイッチャーの切り替えに連動して行なわれる。
【００１４】
【発明が解決しようとする課題】
しかしながら、上記のようにアナログ／ディジタルチャンネルのどちらかに予め設定しておく方法では、例えばユーザが設定を誤ったり、ディスプレイモニタを接続するコンピュータの交換やコンピュータの設定の変更を行なった場合に、ディスプレイモニタがディジタルチャンネル設定であるにもかかわらずアナログ信号が入力されたり、アナログチャンネル設定であるにもかかわらずディジタル信号が入力されることが考えられる。従来のディスプレイモニタでは、そのようなケースには対応できないため、支援タイミングの不整合等により、表示が正しく行なわれないという不具合が生じる。
【００１５】
また、ディジタルビデオ信号出力のあるコンピュータの中には、ディスプレイモニタが送出するＥＤＩＤデータがディジタル仕様でない場合、ディジタルビデオ信号出力を停止するものもあり、そのようなコンピュータに、図１３に示した方法でアナログチャンネル側に選択されたディスプレイモニタが接続された場合、ディスプレイモニタにはビデオ信号が入力されず、何も表示されなくなるなどの問題が生じる。
【００１６】
なお、ディスプレイモニタにおいて、入力されるビデオ信号は、コンピュータ側の出力形態により、Ｄ−Ｓｕｂコネクタのようなアナログのみのタイプ、ＤＶＩ−ＤコネクタやＤＦＰコネクタのようなディジタルのみのタイプ、そしてＤＶＩ−Ｉコネクタのようなデジタル／アナログ混在タイプを想定する必要がある。その理由は、例えばディスプレイモニタがＤＶＩ−Ｉコネクタ入力であっても、ビデオ信号の送り手であるコンピュータが必ずしもＤＶＩ−Ｉコネクタ出力とは限らず、例えばユーザが変換ケーブルもしくは変換コネクタを使用した場合、例えばＤＶＩ−Ｉコネクタ入力のディスプレイモニタにＤ−Ｓｕｂコネクタ出力など他の出力形態のコンピュータを接続することが可能であるからである。
【００１７】
本発明は以上のような課題を解決するためになされたものであって、ＤＶＩ−Ｉコネクタを備えるＤＤＣ機能を有するディスプレイモニタにおいて、入力チャンネルやＥＤＩＤデータ等の設定を入力信号の仕様に応じて自動的に正しく設定することのできる入力チャンネル切替制御装置を提供することを目的とする。
【００１９】
【課題を解決するための手段】
請求項１に記載のディスプレイモニタ用入力チャンネル切替制御装置は、外部のコンピュータからのアナログ仕様およびディジタル仕様のビデオ信号のそれぞれに対応可能なＤＶＩ−Ｉインターフェースを備えるＤＤＣ機能を有するディスプレイモニタ用入力チャンネル切替制御装置であって、前記外部のコンピュータから入力される前記ビデオ信号がアナログ仕様かディジタル仕様かの判別および、入力チャンネルの状態がアナログチャンネルかディジタルチャンネルかの判別を行う判別手段と、アナログ仕様のＥＤＩＤデータおよびディジタル仕様のＥＤＩＤデータのそれぞれを記憶するＥＤＩＤデータ記憶手段と、前記入力チャンネルの状態を前記判別手段により判別された前記ビデオ信号の仕様のチャンネルに切り替える入力チャンネル切替手段と、前記外部のコンピュータからのＤＤＣ送信要求に基づいて、前記判別手段により判別された前記入力チャンネルの状態に対応した仕様のＥＤＩＤデータを前記ＥＤＩＤデータ記憶手段から読み出して前記外部のコンピュータに送信するＤＤＣ制御手段とを備え、前記入力チャンネル切替手段は、前記ＤＤＣ制御手段が前記ＥＤＩＤデータを前記外部のコンピュータに送信した後で、前記入力チャンネルの状態を切り替えることを特徴とする。
【００２０】
請求項２に記載のディスプレイモニタ用入力チャンネル切替制御装置は、請求項１に記載のディスプレイモニタ用入力チャンネル切替制御装置であって、前記入力チャンネル切替手段が、さらに、ユーザからの入力チャンネル切替要求に応じた前記入力チャンネルの状態の切り替えを行い、前記ユーザからの入力チャンネル切替要求よって前記入力チャンネルの状態が切り替わった場合に、前記外部のコンピュータとの接続コネクタにおけるホットプラグラインを所定の時間だけ開放するホットプラグライン割り込み手段をさらに備えることを特徴とする。
【００２１】
請求項３に記載のディスプレイモニタ用入力チャンネル切替制御装置は、請求項２に記載のディスプレイモニタ用入力チャンネル切替制御装置であって、前記判別手段が、さらに、前記ディスプレイモニタにおける垂直帰線期間を判別し、前記入力チャンネル切替手段が、前記ユーザからのチャンネル切替要求に応じた前記入力チャンネルの状態の切り替えを、前記判別手段により判別された垂直帰線期間のタイミングで行うことを特徴とする。
【００２２】
請求項４に記載のディスプレイモニタ用入力チャンネル切替制御装置は、外部のコンピュータからのアナログ仕様およびディジタル仕様のビデオ信号のそれぞれに対応可能なＤＶＩ−Ｉインターフェースを備えるＤＤＣ機能を有するディスプレイモニタ用入力チャンネル切替制御装置であって、前記外部のコンピュータから入力される前記ビデオ信号がアナログ仕様かディジタル仕様かの判別および、入力チャンネルの状態がアナログチャンネルかディジタルチャンネルかの判別を行う判別手段と、アナログ仕様のＥＤＩＤデータおよびディジタル仕様のＥＤＩＤデータのそれぞれを記憶するＥＤＩＤデータ記憶手段と、前記入力チャンネルの状態を前記判別手段により判別された前記ビデオ信号の仕様のチャンネルに切り替える入力チャンネル切替手段と、前記外部のコンピュータからのＤＤＣ送信要求に基づいて、所定の仕様のＥＤＩＤデータを前記ＥＤＩＤデータ記憶手段から読み出して前記外部のコンピュータに送信するＤＤＣ制御手段と、前記ＤＤＣ制御手段が前記ＥＤＩＤデータ記憶手段から読み出す前記所定の仕様のＥＤＩＤデータを、前記判別手段により判別された前記ビデオ信号の仕様のＥＤＩＤデータにするか、前記判別手段により判別された前記入力チャンネルの状態に対応した仕様のＥＤＩＤデータにするかを選択可能な選択手段とを備え、前記選択手段によって前記入力チャンネルの状態に対応した仕様の前記ＥＤＩＤデータが選択された場合、前記入力チャンネル切替手段は、前記ＤＤＣ制御手段が前記ＥＤＩＤデータを前記外部のコンピュータに送信した後で、前記入力チャンネルの状態を切り替えることを特徴とする。
【００２４】
請求項５に記載のディスプレイモニタの入力チャンネル切替制御方法は、外部のコンピュータからのアナログ仕様およびディジタル仕様のビデオ信号のそれぞれに対応可能なＤＶＩ−Ｉインターフェースを備えるＤＤＣ機能を有するディスプレイモニタの入力チャンネル切替制御方法であって、（ａ）前記外部のコンピュータからのＤＤＣ送信要求を検出する工程と、（ｂ）前記工程（ａ）において前記ＤＤＣ送信要求が検出された場合に、入力チャンネルの状態がアナログチャンネルかディジタルチャンネルかの判別を行う工程と、（ｃ）前記工程（ｂ）において判別された前記入力チャンネルの状態に対応した仕様のＥＤＩＤデータを前記外部のコンピュータに送信する工程と、（ｄ）前記工程（ｃ）の後に行われ、前記外部のコンピュータから入力される前記ビデオ信号がアナログ仕様かディジタル仕様かの判別を行う工程と、（ｅ）前記工程（ｂ）において判別された前記入力チャンネルの状態に対応した仕様と前記工程（ｄ）において判別された前記ビデオ信号の仕様とが異なる場合に、前記入力チャンネルの状態を前記工程（ｄ）において判別された前記ビデオ信号の仕様のチャンネルに切り替え、前記工程（ａ）に戻る工程とを備えることを特徴とする。
【００２５】
【発明の実施の形態】
＜実施の形態１＞
図１は本発明の実施の形態１に係るディスプレイモニタ用入力チャンネル切替制御装置５０の構成図である。この図において、５１は、アナログ仕様、ディジタル仕様の２系統の入力信号に対応したＤＶＩ−Ｉコネクタであり、ディスプレイモニタはＤＶＩ−Ｉコネクタ５１を介して外部のコンピュータに接続される。５２は、アナログ同期信号検出手段であり、ＤＶＩ−Ｉコネクタ５１のアナログ水平同期信号およびアナログ垂直同期信号を検出する。これらのアナログ水平および垂直同期信号は、外部のコンピュータからビデオ信号がアナログ仕様のときのみに送信されるものであるので、この信号を監視することで、その有無によりビデオ信号がディジタル仕様であるかアナログ仕様であるか判定できる。アナログ同期信号検出手段５２は、アナログ水平および垂直同期信号を検出すると、判別手段５３へアナログチャンネル入力検出信号を出力する。
【００２６】
判別手段５３は、アナログ同期信号検出手段５２からのアナログチャンネル入力検出信号に基づき、ビデオ信号がアナログ仕様であるかディジタル仕様であるかを判別する。つまり、本実施の形態においては、アナログ同期信号検出手段５２と判別手段５３とで、入力ビデオ信号がディジタル信号であるかアナログ信号であるかを判別する手段を構成している。判別手段５３は、そのビデオ信号の判別結果に基づき、ＤＤＣ制御手段、入力チャンネル切替手段５６、ＯＳＤ切替手段５７へ、それぞれＤＤＣ切替制御信号、入力チャンネル切替制御信号、ＯＳＤ切替制御信号を送信する。
【００２７】
５４は、アナログ仕様のＥＤＩＤデータおよびディジタル仕様のＥＤＩＤデータが共に記憶されている不揮発性のＥＤＩＤデータ記憶手段である。ＤＤＣ制御手段５５は、コンピュータとのＤＤＣ通信を行い、ＤＤＣ要求信号を検出した場合に判別手段５３にＤＤＣ送信要求検出信号を送信する。そして、判別手段５３からのＤＤＣ切替制御信号に基づき、ビデオ信号の仕様に対応したＥＤＩＤデータをＥＤＩＤデータ記憶手段５４から読み込むように制御され、読み込んだＥＤＩＤデータをコンピュータに送信する。
【００２８】
入力チャンネル切替手段５６は、判別手段５３からの入力チャンネル切替制御信号により制御され、入力チャンネルをビデオ信号の仕様に対応したチャンネルに切り替える。また、ＯＳＤ切替手段５７は、判別手段５３からのＯＳＤ切替制御信号により制御され、ディスプレイモニタのＯＳＤを判別手段５３により判別されたビデオ信号の仕様に対応したＯＳＤに切り替える。
【００２９】
図２は、本実施の形態に係るディスプレイモニタ用入力チャンネル切替制御装置の動作を示すフローチャートである。以下、この図に基づいて図１の入力チャンネル切替制御装置の動作を説明する。
【００３０】
判別手段５３は、ＤＤＣ制御手段５５からのＤＤＣ送信要求検出信号の監視を行うことで、外部のコンピュータからのＤＤＣ送信要求の有無を監視する。（Ｓ１１）。そして、ＤＤＣ送信要求があり、ＤＤＣ制御手段５５から判別手段５３へとＤＤＣ送信要求検出信号が送られると、判別手段５３は引き続いてアナログ同期信号検出手段５２からのアナログチャンネル入力検出信号の検出を行う（Ｓ１２）。
【００３１】
Ｓ１２でアナログチャンネル入力検出信号が検出されない場合（即ち、入力ビデオ信号がディジタル仕様である場合）、判別手段５３は入力チャンネル切替手段を制御して、入力チャンネルをディジタルチャンネルへと切り替える（Ｓ１３）。さらに、判別手段５３の制御に基づき、ＤＤＣ制御手段５５はディジタル仕様のＥＤＩＤデータをＥＤＩＤデータ記憶手段５４より読み出してコンピュータに送信し（Ｓ１４）、ＯＳＤ切替手段５７はディジタル対応のＯＳＤに切り替える（Ｓ１５）。
【００３２】
また、Ｓ１２でアナログチャンネル入力検出信号が検出された場合（即ち、入力ビデオ信号がアナログ仕様である場合）、判別手段５３は、入力チャンネル切替手段を制御して入力チャンネルをアナログチャンネルへと切り替える（Ｓ１６）。さらに、判別手段５３の制御に基づき、ＤＤＣ制御手段５５はアナログ仕様のＥＤＩＤデータをＥＤＩＤデータ記憶手段５４より読み出してコンピュータに送信し（Ｓ１７）、ＯＳＤ切替手段５７はアナログ対応のＯＳＤに切り替える（Ｓ１８）。
【００３３】
つまり、本実施の形態に係る入力チャンネル切替制御装置５０によれば、ＤＶＩ−Ｉコネクタ仕様に対応したディスプレイモニタにおいて、コンピュータが出力している信号がディジタル仕様の場合、ディスプレイモニタの送信ＥＤＩＤデータ、入力チャンネル、ＯＳＤは全てディジタル仕様に対応したものに自動的に設定され、反対にコンピュータが出力している信号がアナログ仕様の場合、それらは全てアナログ仕様に対応したものに自動的に設定される。
【００３４】
つまり、ディスプレイモニタの送信ＥＤＩＤデータ、入力チャンネル、ＯＳＤは、コンピュータが出力している信号の仕様に対応したものに自動に切り替わる。
【００３５】
これにより、コンピュータの出力信号の仕様とディスプレイモニタの入力チャンネルとの不整合による、支援タイミングの不整合や、ＯＳＤの調整項目が異なる問題（例えばアナログチャンネルのＯＳＤにはクロックフェーズ調整項目が必要であるがディジタルチャンネルのＯＳＤには不要）、また画面が何も表示されなくなるいという問題を回避することができる。
【００３６】
＜実施の形態２＞
上述したように、実施の形態１では、ディスプレイモニタのＥＤＩＤデータ出力、入力チャンネル、ＯＳＤは、コンピュータが出力している信号の仕様に対応したものに自動に切り替わる。
【００３７】
ところで、コンピュータ側も信号出力インターフェースとしてＤＶＩ−Ｉ仕様のインターフェースを有している場合、該コンピュータはビデオ信号としてアナログ仕様のものとディジタル仕様のものとの両方の出力が可能である。
【００３８】
例えば、ＤＶＩ−Ｉ仕様の出力インターフェースを有するコンピュータにアナログ仕様のディスプレイが接続された場合、コンピュータはアナログ仕様の信号を出力し、ディジタル仕様のディスプレイを接続した場合、コンピュータはディジタル仕様の信号を出力する動作が可能である。
【００３９】
つまり、図１３に示した従来のディスプレイモニタを接続した場合、コンピュータの出力信号の仕様は、ディスプレイモニタのスイッチャーの状態により決定される。つまり、コンピュータとの接続時に、ディスプレイモニタのスイッチャーがアナログ側を選択していればコンピュータの出力信号はアナログ仕様に切り替わり、逆にディジタル側を選択していればコンピュータの出力信号はディジタル仕様に切り替わる。つまり、ディスプレイモニタ側でビデオ信号の仕様を選択することができる。
【００４０】
しかし、実施の形態１に係るディスプレイモニタは、コンピュータの出力信号の仕様によって、入力チャンネル等が強制的に切り替わってしまうので、上記のようなディスプレイモニタ側からビデオ信号の仕様を選択することはできない。
【００４１】
そこで、本実施の形態においては、コンピュータ側のＤＶＩ−Ｉ仕様の出力インターフェースを有する場合にコンピュータ側の出力信号をディスプレイモニタ側で選択でき、また、他のインターフェースの場合にはディスプレイモニタの入力チャンネル、ＥＤＩＤデータ、ＯＳＤ等の設定を自動的に正しく設定できる入力チャンネル切替制御装置を提案する。
【００４２】
図３は本発明の実施の形態２に係るディスプレイモニタ用入力チャンネル切替制御装置６０の構成図である。この図において、６１はＤＶＩ−Ｉコネクタ５１に接続されたコンピュータから入力される前記ビデオ信号がアナログ仕様かディジタル仕様かの判別および、入力チャンネルの状態の判別を行う判別手段である。ここで、判別手段６１におけるビデオ信号の判別は、アナログ同期信号検出手段５２からのアナログチャンネル入力検出信号に基づき行なわれ、入力チャンネルの状態の判別は、入力チャンネル切替手段が例えばＥＥＰＲＯＭ等に保持している入力チャンネル状態情報に基づいて行なわれる。なお、図３におけるその他の要素については、図１に同符号を用いて示した要素と同一であるので、ここでの詳細な説明は省略する。
【００４３】
判別手段６１は、ビデオ信号がアナログ仕様かディジタル仕様かの判別および、入力チャンネルの状態の判別の結果に基づいて、ＤＤＣ制御手段、入力チャンネル切替手段５６、ＯＳＤ切替手段５７へ、それぞれＤＤＣ切替制御信号、入力チャンネル切替制御信号、ＯＳＤ切替制御信号を送信する。
【００４４】
ただし、本実施の形態においては実施の形態１とは異なり、ＤＤＣ制御手段５５は判別手段６１からのＤＤＣ切替制御信号により、そのときの入力チャンネルの状態に対応した仕様のＥＤＩＤデータをＥＤＩＤデータ記憶手段５４から読み込むように制御される。また、入力チャンネル切替手段５６およびＯＳＤ切替手段５７は、実施の形態１と同様に、それぞれ入力チャンネル切替制御信号、ＯＳＤ切替制御信号により制御され、入力チャンネルおよびＯＳＤをビデオ信号の仕様に対応したものに切り替える。
【００４５】
図４は、本実施の形態に係るディスプレイモニタ用入力チャンネル切替制御装置６０の動作を示すフローチャートである。以下、この図に基づいて図３のチャンネル切替制御装置の動作を説明する。
【００４６】
ここで、ディスプレイモニタに接続されるコンピュータの出力インターフェースの仕様として、アナログ仕様とディジタル仕様の両方の信号を出力できるＤＶＩ−Ｉ仕様の他、例えばＤ−Ｓｕｂのようなアナログ仕様の信号のみを出力するもの、ＤＶＩ−Ｉのようなディジタル仕様の信号のみを出力するものが考えられる。下の表は、以下の説明における場合分けを示す表であり、接続されるコンピュータの出力形態と、ディスプレイモニタの入力チャンネルの初期状態（接続時にユーザによって設定された状態）との組み合わせにより、ケース１〜ケース６の６通りのケースが考えられる。
【００４７】
【表１】
0003754635.tif 000002
【００４８】
上記したように、本実施の形態においては、コンピュータ側のＤＶＩ−Ｉ仕様の出力インターフェースを有する場合にコンピュータ側の出力信号をディスプレイモニタ側で選択でき、また、他のインターフェースの場合にはディスプレイモニタの入力チャンネル、ＥＤＩＤデータ、ＯＳＤ等の設定を自動的に正しく設定するものであり、つまり、ディスプレイモニタはケース１〜ケース３ではディジタル仕様に、ケース４〜ケース６ではアナログ仕様に設定される。
【００４９】
まず、ケース１の場合の動作について説明する。判別手段６１は、ＤＤＣ制御手段５５からのＤＤＣ送信要求検出の検出を行うことで、コンピュータからのＤＤＣ送信要求の有無を監視する。（Ｓ２１）。そして、コンピュータからのＤＤＣ送信要求があると、判別手段６１はディスプレイモニタの現在の入力チャンネルの状態を判定する（Ｓ２２）。ケース１では初期の入力チャンネルの設定はディジタルチャンネルとなっているので、ＤＤＣ制御手段５５は、判別手段６１の制御に基づきディジタル仕様のＥＤＩＤデータをＥＤＩＤデータ記憶手段５４より読み出してコンピュータに送信する（Ｓ２３）。そして、ＤＤＣ送信に対するコンピュータの応答を待つために所定の待機時間だけ待機し（Ｓ２４）、その後、判別手段６１はアナログ同期信号検出手段５２からのアナログチャンネル入力検出信号の検出を行う（Ｓ２５）。このときケース１ではコンピュータの出力形態はディジタル仕様の信号のみを出力するＤＦＰやＤＶＩ−Ｄであるため、アナログチャンネル入力検出信号は検出されないので、判別手段６１はＯＳＤ切替手段を制御してＯＳＤをディジタル仕様のＯＳＤに切り替える（Ｓ２７）。このようにして、ケース１では入力チャンネル、ＥＤＩＤデータ、ＯＳＤはディジタル仕様に設定される。
【００５０】
次に、ケース２の場合の動作について説明する。Ｓ２１でコンピュータからのＤＤＣ送信要求が検出されると、Ｓ２２で判別手段６１によりディスプレイモニタの現在の入力チャンネルの状態が判定される。ケース２では初期の入力チャンネルの設定はアナログチャンネルとなっているので、ＤＤＣ制御手段５５は、判別手段６１の制御に基づきアナログ仕様のＥＤＩＤデータをＥＤＩＤデータ記憶手段５４より読み出してコンピュータに送信する（Ｓ２８）。そして、ＤＤＣ送信に対するコンピュータの応答を待つために所定の待機時間だけ待機し（Ｓ２９）、その後、判別手段６１はアナログ同期信号検出手段５２からのアナログチャンネル入力検出信号の検出を行う（Ｓ３０）。このときケース２ではコンピュータの出力仕様はディジタル仕様のみであるのでアナログチャンネル入力検出信号は検出されず、入力チャンネルはディジタルチャンネルへと切り替えられ（Ｓ３２）、再びＳ２１に戻る。ここで、システム立ち上げ時等に行われるＤＤＣ送信要求は一般的に複数回行なわれるので再びＤＤＣ送信要求が検出されることとなるが、このときの入力チャンネルはディジタルチャンネルであり、つまりケース１の状態に遷移している。よってその後は、上記したケース１と同様の動作で、入力チャンネル、ＥＤＩＤデータ、ＯＳＤはディジタル仕様に設定される。
【００５１】
ケース３の場合の動作について説明する。Ｓ２１でコンピュータからのＤＤＣ送信要求が検出されると、Ｓ２２で判別手段６１によりディスプレイモニタの現在の入力チャンネルの状態が判定される。ケース３では初期の入力チャンネルの設定はディジタルチャンネルとなっているので、ＤＤＣ制御手段５５は、判別手段６１の制御に基づきディジタル仕様のＥＤＩＤデータをＥＤＩＤデータ記憶手段５４より読み出してコンピュータに送信する（Ｓ２３）。そして、ＤＤＣ送信に対するコンピュータの応答を待つために所定の待機時間だけ待機し（Ｓ２４）、その後、判別手段６１はアナログ同期信号検出手段５２からのアナログチャンネル入力検出信号の検出を行う（Ｓ２５）。このときケース３ではコンピュータの出力仕様はディジタル仕様とアナログ仕様の両方に対応したＤＶＩ−Ｉ仕様であるが、Ｓ２３においてディジタル仕様のＥＤＩＤデータを受けたコンピュータはディジタル仕様の信号を出力するのでアナログチャンネル入力検出信号は検出されず、ＯＳＤをディジタル仕様のＯＳＤに切り替える（Ｓ２７）。このようにして、ケース３では入力チャンネル、ＥＤＩＤデータ、ＯＳＤはディジタル仕様に設定される。
【００５２】
ケース４の場合の動作について説明する。Ｓ２１でコンピュータからのＤＤＣ送信要求が検出されると、Ｓ２２で判別手段６１によりディスプレイモニタの現在の入力チャンネルの状態が判定される。ケース４では初期の入力チャンネルの設定はアナログチャンネルとなっているので、ＤＤＣ制御手段５５は、判別手段６１の制御に基づきアナログ仕様のＥＤＩＤデータをＥＤＩＤデータ記憶手段５４より読み出してコンピュータに送信する（Ｓ２８）。そして、ＤＤＣ送信に対するコンピュータの応答を待つために所定の待機時間だけ待機し（Ｓ２９）、その後、判別手段６１はアナログ同期信号検出手段５２からのアナログチャンネル入力検出信号の検出を行う（Ｓ３０）。このときケース４ではコンピュータの出力仕様はディジタル仕様とアナログ仕様の両方に対応したＤＶＩ−Ｉ仕様であるが、Ｓ２８においてアナログ仕様のＥＤＩＤデータを受けたコンピュータはアナログ仕様の信号を出力するのでアナログチャンネル入力検出信号が検出され、ＯＳＤをアナログ仕様のＯＳＤに切り替える（Ｓ３１）。このようにして、ケース４では入力チャンネル、ＥＤＩＤデータ、ＯＳＤはアナログ仕様に設定される。
【００５３】
ここで、ケース５を説明する前に、便宜上ケース６を先に説明する。Ｓ２１でコンピュータからのＤＤＣ送信要求が検出されると、Ｓ２２で判別手段６１によりディスプレイモニタの現在の入力チャンネルの状態が判定される。ケース６では初期の入力チャンネルの設定はアナログチャンネルとなっているので、ＤＤＣ制御手段５５は、判別手段６１の制御に基づきアナログ仕様のＥＤＩＤデータをＥＤＩＤデータ記憶手段５４より読み出してコンピュータに送信する（Ｓ２８）。そして、ＤＤＣ送信に対するコンピュータの応答を待つために所定の待機時間だけ待機し（Ｓ２９）、その後、判別手段６１はアナログ同期信号検出手段５２からのアナログチャンネル入力検出信号の検出を行う（Ｓ３０）。このときケース６ではコンピュータの出力仕様はアナログ仕様のみに対応したＤ−Ｓｕｂ仕様であるので、コンピュータはアナログ仕様の信号を出力するのでアナログチャンネル入力検出信号が検出され、ＯＳＤをアナログ仕様のＯＳＤに切り替える（Ｓ３１）。このようにして、ケース６では入力チャンネル、ＥＤＩＤデータ、ＯＳＤはアナログ仕様に設定される。
【００５４】
そして次に、ケース５の場合の動作について説明する。Ｓ２１でコンピュータからのＤＤＣ送信要求が検出されると、Ｓ２２で判別手段６１によりディスプレイモニタの現在の入力チャンネルの状態が判定される。ケース５では初期の入力チャンネルの設定はディジタルチャンネルとなっているので、ＤＤＣ制御手段５５は、判別手段６１の制御に基づきディジタル仕様のＥＤＩＤデータをＥＤＩＤデータ記憶手段５４より読み出してコンピュータに送信する（Ｓ２３）。そして、ＤＤＣ送信に対するコンピュータの応答を待つために所定の待機時間だけ待機し（Ｓ２４）、その後、判別手段６１はアナログ同期信号検出手段５２からのアナログチャンネル入力検出信号の検出を行う（Ｓ２５）。このときケース３ではコンピュータの出力仕様はアナログ仕様のみに対応したＤ−Ｓｕｂ仕様であるので、Ｓ２３においてディジタル仕様のＥＤＩＤデータを受けてもコンピュータはアナログ仕様の信号を出力するのでアナログチャンネル入力検出信号が検出され、入力チャンネルはアナログチャンネルへと切り替えられ（Ｓ２６）、再びＳ２１に戻る。ここで、システム立ち上げ時等に行われるＤＤＣ送信要求は一般的に複数回行なわれるので再びＤＤＣ送信要求が検出されることとなるが、このときの入力チャンネルはアナログチャンネルであり、つまりケース６の状態に遷移している。よってその後は、上記したケース６と同様の動作で、入力チャンネル、ＥＤＩＤデータ、ＯＳＤはディジタル仕様に設定される。
【００５５】
以上説明したように、本実施の形態に係るディスプレイモニタのチャンネル切替制御装置によれば、ＤＶＩ−Ｉコネクタ仕様に対応したディスプレイモニタにおいて、コンピュータの出力形態がＤＶＩ−Ｉ出力を持つ場合、アナログ仕様かディジタル仕様のいずれのディスプレイモニタとして使用するかをディスプレイモニタ側の設定を優先して選択できる。さらに、アナログ仕様、ディジタル仕様のいずれかのみ出力可能なコンピュータに接続された場合は、実施の形態１と同様に、その出力信号の仕様に応じて、ディスプレイモニタの入力チャンネル、ＥＤＩＤデータ、ＯＳＤ等の設定を自動的に正しく設定できる。
【００５６】
つまり、ディスプレイモニタのチャンネル設定を優先しつつ、コンピュータの出力信号の仕様とディスプレイモニタの入力チャンネルとの不整合による、支援タイミングの不整合や、ＯＳＤの調整項目が異なる問題（例えばアナログチャンネルのＯＳＤにはクロックフェーズ調整項目が必要であるがディジタルチャンネルのＯＳＤには不要）、また画面が何も表示されなくなるいという問題を回避することができる。
【００５７】
＜実施の形態３＞
ＤＶＩ−Ｉコネクタを有するディスプレイモニタにおいて、コンピュータおよびディスプレイモニタの使用中にユーザがＯＳＤ等によりディスプレイモニタの入力チャンネル切替を行った場合、支援タイミングの不整合等により、表示が正しく行われなくなる。その場合、再度ＤＤＣ通信を行なわせるために、一度コンピュータリセットしたり、ディスプレイモニタとコンピュータとの接続を再度行う必要が生じる。例えば、上記した実施の形態２ではディスプレイモニタの設定を優先できるが、この問題によりディスプレイモニタの使用中におけるチャンネルの切り替えはできない。
【００５８】
図５は、実施の形態３に係るディスプレイモニタ用入力チャンネル切替制御７０の構成図である。この図において、７１は、ＤＶＩ−Ｉコネクタ５１に接続されたコンピュータから入力される前記ビデオ信号がアナログ仕様かディジタル仕様かの判別および、入力チャンネルの状態の判別を行う判別手段である。また、７２はＤＶＩ−Ｉコネクタ５１の＋５Ｖ端子とホットプラグ端子間をスイッチングするホットプラグライン割り込み手段であり、判別手段７１のホットプラグライン割り込み信号により制御される。なお、その他の要素については、図３に同符号を用いて示した要素と同一であるので、ここでの詳細な説明は省略する。
【００５９】
判別手段７１は、入力チャンネルの状態を判別することで入力チャンネルの切替を検出することができ、入力チャンネルの切替を検出した場合、所定の時間だけホットプラグライン割り込み信号をハイレベルにすることで、ホットプラグライン割り込み手段をオフし、ＤＶＩ−Ｉコネクタ５１のホットプラグラインを開放状態にし、それまで＋５Ｖにプルアップされていたホットプラグラインをローレベルにする。
【００６０】
図６は、本実施の形態に係るディスプレイモニタ用入力チャンネル切替制御装置７０の動作を示すフローチャートである。以下、この図に基づいて図５のチャンネル切替制御装置の動作を説明する。
【００６１】
まず、判別手段７１は、ディスプレイモニタの入力チャンネルの状態を監視することにより入力チャンネルの切り替えの有無を判定する（Ｓ３３）。ここで、ユーザが例えばＯＳＤを介してディスプレイモニタの入力チャンネルの切り替えを要求すると、入力チャンネル切替要求信号が入力チャンネル切替手段５６に入力され、入力チャンネル切替手段５６は入力チャンネルの状態を切り替える。判別手段７１は入力チャンネルの状態の変化によりそれを検出し、所定の時間だけホットプラグライン割り込み手段７２をオフし、ＤＶＩ−Ｉコネクタ５１のホットプラグラインを開放状態にして、それまで＋５Ｖにプルアップされていたホットプラグラインをローレベルにする（Ｓ３４）。
【００６２】
通常、ホットプラグラインは、ディスプレイモニタ側で抵抗を介して＋５Ｖ端子に電気的に接続されるので、コンピュータとディスプレイモニタが接続されることにより＋５Ｖにプルアップされる。コンピュータ側では、このホットプラグラインのレベルによりディスプレイモニタが接続されたことを認識し、それによりディスプレイモニタに対してＤＤＣ送信要求を行っている。
【００６３】
つまり、ホットプラグライン割り込み手段をオフすることでＤＶＩ−Ｉコネクタ５１のホットプラグラインを開放状態にし、ホットプラグラインがローレベルになると、コンピュータ側から見てディスプレイモニタのコネクタが抜かれた状態と等価になる。そして所定の時間の後ホットプラグライン割り込み手段がオンされ、ホットプラグラインが再び＋５Ｖにプルアップされると、コンピュータ側のグラフィックチップに割り込みがかけられ、コンピュータはディスプレイモニタが接続されたものと判断して、ディスプレイモニタに対しＤＤＣ送信要求を行う。よって、コンピュータのリセットやディスプレイモニタとコンピュータとの接続を再度行うこと無しに、コンピュータにＤＤＣ送信要求を行なわせることができる。
【００６４】
なお、Ｓ３４以降の動作は、実施の形態２において図４で説明したものと同一のためここでの説明を省略する。
【００６５】
本実施の形態に係るディスプレイモニタの入力チャンネル切替制御装置によれば、ＤＶＩ−Ｉコネクタ仕様に対応したディスプレイモニタにおいて、アナログ仕様かディジタル仕様のいずれのディスプレイモニタとして使用するかをディスプレイモニタ側の設定を優先して選択でき、さらにその使用中にユーザが入力チャンネルの切り替えを行なった場合、コンピュータのリセットやディスプレイモニタとコンピュータとの接続を再度行うこと無しにコンピュータにＤＤＣ送信要求を行なわせることができる。つまり、ユーザがディスプレイモニタの使用中に入力チャンネルの切り替えを行なった場合においても、表示モードの整合性を保つように動作させることができる。
【００６６】
＜実施の形態４＞
実施の形態３に示したディスプレイモニタの入力チャンネル切替制御装置において、ユーザからの入力チャンネル切替要求による入力チャンネルの切り替えが行われている過程では、正常な表示を行うことができない。よって、その間は表示画面をブランキングしたり、あるいはフレームメモリを有するディスプレイモニタにおいては表示画像を入力チャンネル切り替え前の状態に固定したりすることで、画面表示の乱れを回避することが考えられる。
【００６７】
しかし、実施の形態３においては、図５に示したようにユーザによる入力チャンネル切替要求信号が入力チャンネル切替手段に直接入力される。つまり、入力チャンネル切替手段による入力チャンネルの切り替えは、ユーザが入力チャンネル切替要求を行った任意のタイミングで強制的に行われるものであり、ディスプレイモニタの走査に同期したタイミングで行われるものではない。よって、そのタイミングによっては、入力チャンネルの切り替えと同時に行われるブランキングあるいは画像固定の前にディスプレイモニタの画面表示に乱れが生じることがある。そこで、入力チャンネルの切り替えの際、前もってブランキングあるいは画像固定をしておくことも考えられるが、画面のブランキングあるいは画像固定の期間がその分長くなってしまう。
【００６８】
図７は、実施の形態４に係るディスプレイモニタ用入力チャンネル切替制御装置７５の構成図である。この図において、７６はＤＶＩ−Ｉコネクタ５１に接続されたコンピュータから入力されるビデオ信号がアナログ仕様かディジタル仕様かの判別および、入力チャンネルの状態の判別、さらにディスプレイモニタの垂直帰線期間かどうかの判別を行う判別手段である。なお、その他の要素については、図５に同符号を用いて示した要素と同一であるので、ここでの詳細な説明は省略する。
【００６９】
ここで、上述した入力チャンネルの切り替えと同時にブランキングあるいは画像固定を行う場合に生じる画面表示の乱れは、入力チャンネルの切り替えがディスプレイモニタの画像表示期間、即ち垂直走査期間に行われることに起因するものである。つまり、入力チャンネルの切り替えをディスプレイモニタの垂直帰線期間のタイミングで行うことで、その表示画面の乱れの発生を抑えることができる。
【００７０】
ディスプレイモニタの垂直帰線期間かどうかの判別は、ディスプレイモニタの垂直走査に同期した信号、例えばディスプレイモニタが内部で生成する垂直同期信号（以下、垂直内部同期信号という）を検出することで可能であり、判別手段７６は、垂直内部同期信号に基づき、ディスプレイモニタの垂直帰線期間であるかどうかの判別を行う。
【００７１】
また、図７に示すように、ユーザによる入力チャンネルの切替要求信号は判別手段７６に入力される。判別手段７６は、ユーザによる入力チャンネル切替要求信号に応じて、入力チャンネル切替手段を制御して入力チャンネルを切り替えるが、このとき、入力チャンネルの切り替えはディスプレイモニタの垂直帰線期間のタイミングで行われる。よって、入力チャンネルの切り替えと同時にブランキングあるいは画像固定を行った場合における画面の乱れの発生は抑えられる。
【００７２】
図８は、本実施の形態に係るディスプレイモニタ用入力チャンネル切替制御装置７５の動作を示すフローチャートである。以下、この図に基づいて図７のチャンネル切替制御装置の動作を説明する。
【００７３】
まず、判別手段７１は、ユーザによる入力チャンネル切替要求信号の入力を監視することによりユーザからの入力チャンネル切替要求の有無を判定する（Ｓ３５）。ここで、ユーザが例えばＯＳＤを介してディスプレイモニタの入力チャンネルの切り替えを要求すると、判別手段７６に入力チャンネル切替要求信号が入力され、判別手段７６はそれを検出する。このとき、判別手段７６はディスプレイモニタの垂直内部同期信号に基づき、該ディスプレイモニタが垂直帰線期間であるかどうかの判定を行う（Ｓ３６）。そして、Ｓ３６の判定に基づいて垂直帰線期間のタイミングで入力チャンネルの切り替えを行う（Ｓ３７）。そして、所定の時間だけホットプラグライン割り込み手段７２をオフし、ＤＶＩ−Ｉコネクタ５１のホットプラグラインを開放状態にして、それまで＋５Ｖにプルアップされていたホットプラグラインをローレベルにする（Ｓ３８）。
【００７４】
なお、Ｓ３８以降の動作は、実施の形態２において図４で説明したものと同一のためここでの説明を省略する。
【００７５】
以上のように、本実施の形態によれば、ユーザの要求による入力チャンネルの切り替えをディスプレイモニタの垂直帰線期間のタイミングで行うので、入力チャンネルの切り替えの際の画面のブランキングあるいは画像固定を、入力チャンネルの切り替えと同時に行っても、画面表示に乱れが生じない。つまり、ブランキングあるいは画像固定の期間を長くすること無く、画面表示の乱れの発生を抑えることができる。
【００７６】
なお、図７においては、判別手段７６における垂直帰線期間かどうかの判別を、ディスプレイモニタが生成する垂直内部同期信号に基づいて行う構成を示したが、ディスプレイモニタの垂直走査に同期した信号であれば他の信号に基づいても垂直帰線期間かどうかの判別は可能であり、同様の効果が得られることは明らかである。
【００７７】
＜実施の形態５＞
コンピュータの出力形態がＤＶＩ−Ｉの場合、実施の形態１のようにコンピュータの出力設定を優先するアルゴリズムと、実施の形態２のようにディスプレイモニタの設定を優先するアルゴリズムの２通りが考えられる。実施の形態５ではそのチャンネル切り替えのアルゴリズムをユーザが選択することができる入力チャンネル切替制御装置を提案する。
【００７８】
図９は、実施の形態５に係るディスプレイモニタの入力チャンネル切替制御装置８０の構成図である。入力チャンネル切替制御装置８０は、図２のフローチャートで説明した判別アルゴリズムを持つ判別手段５３と、図４で説明した判別アルゴリズムを持つ判別手段６１の２つを備える。そして、ユーザの判別手段切替要求信号により判別手段５３と、判別手段６１のどちらか１つの判別手段が選択される。つまり、判別手段５３と判別手段６１を切り替えることにより、ＤＤＣ制御手段５５がＥＤＩＤデータ記憶手段５４から読み出すＥＤＩＤデータの仕様を、入力チャンネルの状態の仕様にするか、ビデオ信号の仕様にするかを選択する選択手段８１を構成している。なお、この図におけるその他の要素については、図１に示したものと同一であるため説明を省略する。
【００７９】
ユーザはＯＳＤ等を介して判別手段８１に判別手段切替え要求信号を送り、判別手段５３、６１のどちらか１つを選択する。特にコンピュータの出力形態がＤＶＩ−Ｉの場合、判別手段５３を使えばコンピュータの出力信号の仕様にチャンネルが強制的に切り替わるが、逆に、判別手段６１を使えばディスプレイモニタの現在の入力チャンネルに応じてコンピュータの出力を選択できる。
【００８０】
つまり、本実施の形態に係るディスプレイモニタのチャンネル切替制御装置によれば、コンピュータの出力形態がＤＶＩ−Ｉ仕様である場合、コンピュータの出力設定を優先するか、ディスプレイモニタの設定を優先するかユーザが選択することができる。
【００８１】
なお、本実施の形態においては、異なる判別アルゴリズムで構成される複数の判別手段として、図２のフローチャートで説明した判別アルゴリズムを持つ判別手段５３と、図４で説明した判別アルゴリズムを持つ判別手段６１の２を示したが、判別手段として他のアルゴリズムを持つものにも容易に適応できることは明らかである。
【００８２】
＜変形例＞
ここで、以上の説明においては、判別手段において行われる外部のコンピュータからのビデオ信号がアナログ仕様かディジタル仕様かの判別を、ＤＶＩ−Ｉコネクタから入力されるアナログ水同期平信号およびアナログ垂直同期信号の検出の有無に基づいて行う例を示した。言い換えれば、アナログ仕様の信号の入力の有無を判別の基準とし、アナログ信号が入力されないケースをディジタル仕様の信号が入力されているものとして判別するものであった。
【００８３】
しかし、本発明の判別手段におけるビデオ信号の仕様を判別する方法は、そのような判別方法に限定されるものではなく、例えば、ディジタル仕様の信号の入力の有無を判別の基準としてもよい。以下にその例を示す。
【００８４】
図１０は、実施の形態１に示したディスプレイモニタのチャンネル切替制御装置において、判別手段における外部のコンピュータからのビデオ信号の仕様の判別を、ディジタル仕様の信号の入力の有無に基づいて行う変形例を示す図である。この図において、図１と同一の要素に対しては同一符号を付しており、ここでの詳細な説明は省略する。
【００８５】
９０は本変形例に係るディスプレイモニタ用チャンネル切替制御装置である。９１はディスプレイモニタのＴＭＤＳ（Ｔｒａｎｓｍｉｓｓｉｏｎ  Ｍｉｎｉｍｉｚｅｄ  Ｄｉｆｆｅｒｅｎｔｉａｌ  Ｓｉｇｎａｌｉｎｇ）レシーバであり、ＤＶＩ−Ｉコネクタ５１から入力されるディジタル仕様の信号であるＴＭＤＳ信号から、映像信号および音声信号、水平同期信号、垂直同期信号等を復調すると共にそれらを分離抽出するものである。９２はディジタル同期信号検出手段であり、ＴＭＤＳレシーバ９２により抽出されたディジタル仕様の水平同期信号および垂直同期信号を検出した場合に、ディジタルチャンネル入力検出信号を判別手段９３に出力する。判別手段９３は、図１に示した判別手段５３と同じ機能を有するものであるが、ビデオ信号がアナログ仕様であるかディジタル仕様であるかの判別は、ディジタル同期信号検出手段９２からのディジタルチャンネル入力検出信号に基づいて行われる。
【００８６】
ＴＭＤＳレシーバ９１により抽出されるディジタル水平および垂直同期信号は、外部のコンピュータからのビデオ信号がディジタル仕様のときのみに得られるものであるので、この信号を監視することで、その有無によりビデオ信号がディジタル仕様であるかアナログ仕様であるか判定できる。ディジタル同期信号検出手段９２は、ディジタル水平および垂直同期信号を検出すると、判別手段９３へディジタルチャンネル入力検出信号を出力する。そして判別手段９３においてディジタルチャンネル入力検出信号に基づきビデオ信号の仕様が判別され、その判別結果に応じて実施の形態１と同様の動作が行われる。
【００８７】
つまり、この構成においては、判別手段９３における外部のコンピュータから入力されるビデオ信号がアナログ仕様かディジタル仕様かの判別は、ディジタル仕様の信号の入力の有無に基づき行われる。この場合、ディジタル信号が入力されないケースは、アナログ信号が入力されているものとして判別されることになる。
【００８８】
このように、ビデオ信号の仕様の判別はディジタル仕様の信号の入力の有無に基づいても可能である。また、その判別をアナログ仕様の信号の入力の有無に基づいて行う場合と同様の効果を得ることができることは明らかである。
【００８９】
またさらに、アナログ仕様とディジタル仕様の両方の水平および垂直同期信号を検出して、それらに基づきビデオ信号の仕様の判定を行う構成も可能であることは明らかである。その場合はビデオ信号の仕様をより正確に行うことが可能になる。
【００９０】
なお、ここでは実施の形態１の変形例を示したが、この変形例、即ち判別手段におけるビデオ信号の仕様の判別をディジタル仕様の信号の入力の有無に基づいて行う構成は、上記した他の実施の形態にも適応可能であることは言うまでも無い。
【００９３】
【発明の効果】
請求項１に記載のディスプレイモニタ用入力チャンネル切替装置によれば、外部のコンピュータから入力されるビデオ信号がアナログ仕様かディジタル仕様かの判別および、入力チャンネルの状態がアナログチャンネルかディジタルチャンネルかの判別を行う判別手段と、アナログ仕様のＥＤＩＤデータおよびディジタル仕様のＥＤＩＤデータのそれぞれを記憶するＥＤＩＤデータ記憶手段と、入力チャンネルの状態を判別手段により判別されたビデオ信号の仕様のチャンネルに切り替える入力チャンネル切替手段と、外部のコンピュータからのＤＤＣ送信要求に基づいて、判別手段により判別された入力チャンネルの状態に対応した仕様のＥＤＩＤデータをＥＤＩＤデータ記憶手段から読み出して外部のコンピュータに送信するＤＤＣ制御手段とを備え、前記入力チャンネル切替手段は、前記ＤＤＣ制御手段が前記ＥＤＩＤデータを前記外部のコンピュータに送信した後で、前記入力チャンネルの状態を切り替えるので、ＤＶＩ−Ｉインターフェースを備えるＤＤＣ機能を有するディスプレイモニタにおいて、コンピュータの出力形態がＤＶＩ−Ｉ出力を持つ場合、アナログ仕様かディジタル仕様のいずれのディスプレイモニタとして使用するかをディスプレイモニタ側の設定を優先して選択できる。さらに、アナログ仕様、ディジタル仕様のいずれかのみ出力可能なコンピュータに接続された場合は、その出力信号の仕様に応じて、ディスプレイモニタの入力チャンネル、ＥＤＩＤデータの設定を自動的に正しく設定できる。
【００９４】
よって、ディスプレイモニタのチャンネル設定を優先しつつ、入力チャンネルおよびＥＤＩＤデータを適正に切り替えることで、コンピュータの出力信号の仕様とディスプレイモニタの入力チャンネルとの不整合による、支援タイミングの不整合や、また画面が何も表示されなくなるいという問題を回避することができ、正しい表示を得ることができる。
【００９５】
請求項２に記載のディスプレイモニタ用入力チャンネル切替装置によれば、請求項１に記載のディスプレイモニタ用入力チャンネル切替制御装置において、前記入力チャンネル切替手段が、さらに、ユーザからの入力チャンネル切替要求に応じた前記入力チャンネルの状態の切り替えを行い、前記ユーザからの入力チャンネル切替要求よって前記入力チャンネルの状態が切り替わった場合に、前記外部のコンピュータとの接続コネクタにおけるホットプラグラインを所定の時間だけ開放するホットプラグライン割り込み手段をさらに備え、前記選択手段によって前記入力チャンネルの状態に対応した仕様の前記ＥＤＩＤデータが選択された場合、前記入力チャンネル切替手段は、前記ＤＤＣ制御手段が前記ＥＤＩＤデータを前記外部のコンピュータに送信した後で、前記入力チャンネルの状態を切り替えるので、ＤＶＩ−Ｉインターフェースを備えるＤＤＣ機能を有するディスプレイモニタにおいて、コンピュータの出力形態がＤＶＩ−Ｉ出力を持つ場合、アナログ仕様かディジタル仕様のいずれのディスプレイモニタとして使用するかを、コンピュータを再起動すること無しにユーザがディスプレイモニタ側で切り替えすることができる。
【００９６】
請求項３に記載のディスプレイモニタ用入力チャンネル切替制御装置によれば、請求項２に記載のディスプレイモニタ用入力チャンネル切替制御装置において、前記判別手段が、さらに、前記ディスプレイモニタにおける垂直帰線期間を判別し、前記入力チャンネル切替手段が、前記ユーザからのチャンネル切替要求に応じた前記入力チャンネルの状態の切り替えを、前記判別手段により判別された垂直帰線期間のタイミングで行うので、入力チャンネルの状態の切り替えの際の画面のブランキングあるいは画像固定を、入力チャンネルの切り替えと同時に行っても、画面表示に乱れが生じない。よって、ブランキングあるいは画像固定の期間を長くすること無く、画面表示の乱れの発生を抑えることができる。
【００９７】
請求項４に記載のディスプレイモニタ用入力チャンネル切替制御装置によれば、前記外部のコンピュータから入力される前記ビデオ信号がアナログ仕様かディジタル仕様かの判別および、前記入力チャンネルの状態がアナログチャンネルかディジタルチャンネルかの判別を行う判別手段と、アナログ仕様のＥＤＩＤデータおよびディジタル仕様のＥＤＩＤデータのそれぞれを記憶するＥＤＩＤデータ記憶手段と、前記入力チャンネルの状態を前記判別手段により判別された前記ビデオ信号の仕様のチャンネルに切り替える入力チャンネル切替手段と、前記外部のコンピュータからのＤＤＣ送信要求に基づいて、所定の仕様のＥＤＩＤデータを前記ＥＤＩＤデータ記憶手段から読み出して前記外部のコンピュータに送信するＤＤＣ制御手段と、前記ＤＤＣ制御手段が前記ＥＤＩＤデータ記憶手段から読み出す前記所定の仕様のＥＤＩＤデータを、前記判別手段により判別された前記ビデオ信号の仕様のＥＤＩＤデータにするか、前記判別手段により判別された前記入力チャンネルの状態に対応した仕様のＥＤＩＤデータにするかを選択可能な選択手段とを備えるので、コンピュータの出力形態がＤＶＩ−Ｉ出力を持つ場合、アナログ仕様かディジタル仕様のいずれのディスプレイモニタとして使用するかをディスプレイモニタ側の設定を優先させるか、あるいは、コンピュータからのビデオ信号の仕様を優先させるかを選択できる。
【０１００】
請求項５に記載のディスプレイモニタの入力チャンネル切替制御方法によれば、外部のコンピュータからのアナログ仕様およびディジタル仕様のビデオ信号のそれぞれに対応可能なＤＶＩ−Ｉインターフェースを備えるＤＤＣ機能を有するディスプレイモニタの入力チャンネル切替制御方法であって、（ａ）外部のコンピュータからのＤＤＣ送信要求を検出する工程と、（ｂ）工程（ａ）においてＤＤＣ送信要求が検出された場合に、入力チャンネルの状態がアナログチャンネルかディジタルチャンネルかの判別を行う工程と、（ｃ）工程（ｂ）において判別された入力チャンネルの状態に対応した仕様のＥＤＩＤデータを外部のコンピュータに送信する工程と、（ｄ）工程（ｃ）の後に行われ、外部のコンピュータから入力されるビデオ信号がアナログ仕様かディジタル仕様かの判別を行う工程と、（ｅ）工程（ｂ）において判別された入力チャンネルの状態に対応した仕様と工程（ｄ）において判別されたビデオ信号の仕様とが異なる場合に、入力チャンネルの状態を工程（ｄ）において判別されたビデオ信号の仕様のチャンネルに切り替え、工程（ａ）に戻る工程とを備えるので、ＤＶＩ−Ｉインターフェースを備えるＤＤＣ機能を有するディスプレイモニタにおいて、コンピュータの出力形態がＤＶＩ−Ｉ出力を持つ場合、アナログ仕様かディジタル仕様のいずれのディスプレイモニタとして使用するかをディスプレイモニタ側の設定を優先して選択できる。さらに、アナログ仕様、ディジタル仕様のいずれかのみ出力可能なコンピュータに接続された場合は、その出力信号の仕様に応じて、ディスプレイモニタの入力チャンネル、ＥＤＩＤデータの設定を正しく設定できる。
【０１０１】
よって、ディスプレイモニタのチャンネル設定を優先しつつ、入力チャンネルおよびＥＤＩＤデータを適正に切り替えることで、コンピュータの出力信号の仕様とディスプレイモニタの入力チャンネルとの不整合による、支援タイミングの不整合や、また画面が何も表示されなくなるいという問題を回避することができ、正しい表示を得ることができる。
【図面の簡単な説明】
【図１】  実施の形態１に係るディスプレイモニタ用入力チャンネル切替制御装置の構成図である。
【図２】  実施の形態１に係るディスプレイモニタ用入力チャンネル切替制御装置の動作を示すフローチャートである。
【図３】  実施の形態２に係るディスプレイモニタ用入力チャンネル切替制御装置の構成図である。
【図４】  実施の形態２に係るディスプレイモニタ用入力チャンネル切替制御装置の動作を示すフローチャートである。
【図５】  実施の形態３に係るディスプレイモニタ用入力チャンネル切替制御装置の構成図である。
【図６】  実施の形態３に係るディスプレイモニタ用入力チャンネル切替制御装置の動作を示すフローチャートである。
【図７】  実施の形態４に係るディスプレイモニタ用入力チャンネル切替制御装置の構成図である。
【図８】  実施の形態４に係るディスプレイモニタ用入力チャンネル切替制御装置の動作を示すフローチャートである。
【図９】  実施の形態５に係るディスプレイモニタ用入力チャンネル切替制御装置の構成図である。
【図１０】  実施の形態１に示したディスプレイモニタのチャンネル切替制御装置の変形例を示す図である。
【図１１】  ＤＶＩ−Ｄ仕様のコネクタを示す図である。
【図１２】  ＤＶＩ−Ｉ仕様のコネクタを示す図である。
【図１３】  従来のＤＶＩ−Ｉコネクタ仕様のディスプレイモニタのスイッチャーによるチャンネル切替を説明するための図である。
【符号の説明】
５０，６０，７０，７５，８０，９０  入力チャンネル切替制御装置、５１  ＤＶＩ−Ｉコネクタ、５２  アナログ同期信号検出手段、５３，６１，７１，７６，９３  判別手段、５４  ＥＤＩＤデータ記憶手段、５５  ＤＤＣ制御手段、５６  入力チャンネル切替手段、５７  ＯＳＤ切替手段、７２  ホットプラグライン割り込み手段、８１  選択手段、９１  ＴＭＤＳレシーバ、９２  ディジタル同期信号検出手段。
【図１】
0003754635.tif 000003
【図２】
0003754635.tif 000004
【図３】
0003754635.tif 000005
【図４】
0003754635.tif 000006
【図５】
0003754635.tif 000007
【図６】
0003754635.tif 000008
【図７】
0003754635.tif 000009
【図８】
0003754635.tif 000010
【図９】
0003754635.tif 000011
【図１０】
0003754635.tif 000012
【図１１】
0003754635.tif 000013
【図１２】
0003754635.tif 000014
【図１３】
0003754635.tif 000015